【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
回転可能に設けられ、静電潜像が形成される像担持体と、
トナーとキャリアとを含む現像剤を収容する現像容器と、前記像担持体に形成された静電潜像を現像する位置に向けて前記現像剤を担持搬送する回転可能な現像剤担持体とを有し、前記像担持体に形成された静電潜像を前記現像剤を用いて現像するための現像装置と、
前記現像容器内の前記現像剤のトナー濃度を検出するためのトナー濃度検出部と、
前記像担持体と前記現像剤担持体との間の静電容量を検出するための静電容量検出部と、
前記現像剤担持体を回転駆動するための駆動装置と、
前記駆動装置を制御する制御部と、を備え、
前記制御部は、前記静電容量検出部によって検出された静電容量と、前記トナー濃度検出部によって検出されたトナー濃度とに基づいて、前記現像剤担持体を回転駆動するための前記駆動装置の駆動速度を制御する、
ことを特徴とする画像形成装置。
【請求項２】
前記制御部は、前記静電容量検出部によって検出された静電容量が所定の容量であり、且つ前記トナー濃度検出部によって検出されたトナー濃度が第１の濃度である場合に前記現像剤担持体を回転駆動するときの前記駆動装置の駆動速度よりも、前記静電容量検出部によって検出された静電容量が前記所定の容量であり、且つ前記トナー濃度検出部によって検出されたトナー濃度が前記第１の濃度よりも高い第２の濃度である場合に前記現像剤担持体を回転駆動するときの前記駆動装置の駆動速度の方が速くなるように、前記駆動装置を制御する、
ことを特徴とする請求項１に記載の画像形成装置。
【請求項３】
前記制御部は、前記トナー濃度検出部によって検出されたトナー濃度が所定の濃度であり、且つ前記静電容量検出部によって検出された静電容量が第１の容量である場合に前記現像剤担持体を回転駆動するときの前記駆動装置の駆動速度よりも、前記トナー濃度検出部によって検出されたトナー濃度が前記所定の濃度であり、且つ前記静電容量検出部によって検出された静電容量が前記第１の容量よりも多い第２の容量である場合に前記現像剤担持体を回転駆動するときの前記駆動装置の駆動速度の方が速くなるように、前記駆動装置を制御する、
ことを特徴とする請求項１に記載の画像形成装置。
【請求項４】
前記現像剤担持体は、前記像担持体と最近接する位置で前記像担持体の移動方向と逆方向に移動する、
ことを特徴とする請求項１乃至３のいずれか１項に記載の画像形成装置。
【請求項５】
回転可能に設けられ、静電潜像が形成される像担持体と、
トナーとキャリアとを含む現像剤を収容する現像容器と、前記像担持体に形成された静電潜像を現像する位置に向けて前記現像剤を担持搬送する回転可能な現像剤担持体とを有し、前記像担持体に形成された静電潜像を前記現像剤を用いて現像するための現像装置と、
前記現像容器内の前記現像剤のトナー濃度を検出するためのトナー濃度検出部と、
前記像担持体と前記現像剤担持体との間の静電容量を検出するための静電容量検出部と、
前記現像剤担持体に直流電圧と交流電圧とを重畳した現像電圧を印加する現像電圧印加部と、
前記現像電圧印加部を制御する制御部と、を備え、
前記制御部は、前記静電容量検出部によって検出された静電容量と、前記トナー濃度検出部によって検出されたトナー濃度とに基づいて、前記像担持体の非画像部における表面電位と、前記現像電圧印加部により前記現像剤担持体に印加される前記現像電圧の直流電圧との電位差の絶対値を決定する、
ことを特徴とする画像形成装置。
【請求項６】
前記制御部は、前記静電容量検出部によって検出された静電容量が所定の容量であり、且つ前記トナー濃度検出部によって検出されたトナー濃度が第１の濃度である場合の前記電位差の絶対値よりも、前記静電容量検出部によって検出された静電容量が前記所定の容量であり、且つ前記トナー濃度検出部によって検出されたトナー濃度が前記第１の濃度よりも高い第２の濃度である場合の前記電位差の絶対値の方が小さくなるように、前記現像電圧印加部を制御する、
ことを特徴とする請求項５に記載の画像形成装置。
【請求項７】
前記制御部は、前記静電容量検出部によって検出された静電容量が所定の容量であり、且つ前記トナー濃度検出部によって検出されたトナー濃度が第１の濃度である場合に前記現像剤担持体に印加する前記現像電圧の直流電圧の絶対値よりも、前記静電容量検出部によって検出された静電容量が前記所定の容量であり、且つ前記トナー濃度検出部によって検出されたトナー濃度が前記第１の濃度よりも高い第２の濃度である場合に前記現像剤担持体に印加する前記現像電圧の直流電圧の絶対値の方が大きくなるように、前記現像電圧印加部を制御する、
ことを特徴とする請求項５に記載の画像形成装置。
【請求項８】
前記制御部は、前記トナー濃度検出部によって検出されたトナー濃度が所定の濃度であり、且つ前記静電容量検出部によって検出された静電容量が第１の容量である場合の前記電位差の絶対値よりも、前記トナー濃度検出部によって検出されたトナー濃度が前記所定の濃度であり、且つ前記静電容量検出部によって検出された静電容量が前記第１の容量よりも多い第２の容量である場合の前記電位差の絶対値の方が小さくなるように、前記現像電圧印加部を制御する、
ことを特徴とする請求項５に記載の画像形成装置。
【請求項９】
前記制御部は、前記トナー濃度検出部によって検出されたトナー濃度が所定の濃度であり、且つ前記静電容量検出部によって検出された静電容量が第１の容量である場合に前記現像剤担持体に印加する前記現像電圧の直流電圧の絶対値よりも、前記トナー濃度検出部によって検出されたトナー濃度が前記所定の濃度であり、且つ前記静電容量検出部によって検出された静電容量が前記第１の容量よりも多い第２の容量である場合に前記現像剤担持体に印加する前記現像電圧の直流電圧の絶対値の方が大きくなるように、前記現像電圧印加部を制御する、
ことを特徴とする請求項８に記載の画像形成装置。
【請求項１０】
前記現像剤担持体は、前記像担持体と最近接する位置で前記像担持体の移動方向と逆方向に移動する、
ことを特徴とする請求項５乃至９のいずれか１項に記載の画像形成装置。
【請求項１１】
回転可能に設けられ、静電潜像が形成される像担持体と、
トナーとキャリアとを含む現像剤を収容する現像容器と、前記像担持体に形成された静電潜像を現像する位置に向けて前記現像剤を担持搬送する回転可能な現像剤担持体とを有し、前記像担持体に形成された静電潜像を前記現像剤を用いて現像するための現像装置と、
前記現像容器内の前記現像剤のトナー濃度を検出するためのトナー濃度検出部と、
前記像担持体と前記現像剤担持体との間の静電容量を検出するための静電容量検出部と、
前記現像剤担持体に直流電圧と交流電圧とを重畳した現像電圧を印加する現像電圧印加部と、
前記現像電圧印加部を制御する制御部と、を備え、
前記制御部は、前記静電容量検出部によって検出された静電容量と、前記トナー濃度検出部によって検出されたトナー濃度とに基づいて、前記現像電圧印加部により前記現像剤担持体に印加する前記現像電圧の交流電圧の振幅を決定する、
ことを特徴とする画像形成装置。
【請求項１２】
前記制御部は、前記静電容量検出部によって検出された静電容量が所定の容量であり、且つ前記トナー濃度検出部によって検出されたトナー濃度が第１の濃度である場合に前記現像剤担持体に印加する前記現像電圧の交流電圧の振幅よりも、前記静電容量検出部によって検出された静電容量が前記所定の容量であり、且つ前記トナー濃度検出部によって検出されたトナー濃度が前記第１の濃度よりも高い第２の濃度である場合に前記現像剤担持体に印加する前記現像電圧の交流電圧の振幅の方が小さくなるように、前記現像電圧印加部を制御する、
ことを特徴とする請求項１１に記載の画像形成装置。
【請求項１３】
前記制御部は、前記トナー濃度検出部によって検出されたトナー濃度が所定の濃度であり、且つ前記静電容量検出部によって検出された静電容量が第１の容量である場合に前記現像剤担持体に印加する前記現像電圧の交流電圧の振幅よりも、前記トナー濃度検出部によって検出されたトナー濃度が前記所定の濃度であり、且つ前記静電容量検出部によって検出された静電容量が前記第１の容量よりも多い第２の容量である場合に前記現像剤担持体に印加する前記現像電圧の交流電圧の振幅の方が小さくなるように、前記現像電圧印加部を制御する、
ことを特徴とする請求項１１に記載の画像形成装置。
【請求項１４】
前記現像剤担持体は、前記像担持体と最近接する位置で前記像担持体の移動方向と逆方向に移動する、
ことを特徴とする請求項１１乃至１３のいずれか１項に記載の画像形成装置。
【手続補正２】
【補正対象書類名】明細書
【補正対象項目名】０００８
【補正方法】変更
【補正の内容】
【０００８】
本発明に係る画像形成装置は、回転可能に設けられ、静電潜像が形成される像担持体と、トナーとキャリアとを含む現像剤を収容する現像容器と、前記像担持体に形成された静電潜像を現像する位置に向けて前記現像剤を担持搬送する回転可能な現像剤担持体とを有し、前記像担持体に形成された静電潜像を前記現像剤を用いて現像するための現像装置と、前記現像容器内の前記現像剤のトナー濃度を検出するためのトナー濃度検出部と、前記像担持体と前記現像剤担持体との間の静電容量を検出するための静電容量検出部と、前記現像剤担持体を回転駆動するための駆動装置と、前記駆動装置を制御する制御部と、を備え、前記制御部は、前記静電容量検出部によって検出された静電容量と、前記トナー濃度検出部によって検出されたトナー濃度とに基づいて、前記現像剤担持体を回転駆動するための前記駆動装置の駆動速度を制御する、ことを特徴とする。
【手続補正３】
【補正対象書類名】明細書
【補正対象項目名】０００９
【補正方法】変更
【補正の内容】
【０００９】
本発明に係る画像形成装置は、回転可能に設けられ、静電潜像が形成される像担持体と、トナーとキャリアとを含む現像剤を収容する現像容器と、前記像担持体に形成された静電潜像を現像する位置に向けて前記現像剤を担持搬送する回転可能な現像剤担持体とを有し、前記像担持体に形成された静電潜像を前記現像剤を用いて現像するための現像装置と、前記現像容器内の前記現像剤のトナー濃度を検出するためのトナー濃度検出部と、前記像担持体と前記現像剤担持体との間の静電容量を検出するための静電容量検出部と、前記現像剤担持体に直流電圧と交流電圧とを重畳した現像電圧を印加する現像電圧印加部と、前記現像電圧印加部を制御する制御部と、を備え、前記制御部は、前記静電容量検出部によって検出された静電容量と、前記トナー濃度検出部によって検出されたトナー濃度とに基づいて、前記像担持体の非画像部における表面電位と、前記現像電圧印加部により前記現像剤担持体に印加される前記現像電圧の直流電圧との電位差の絶対値を決定する、ことを特徴とする。
また、本発明に係る画像形成装置は、回転可能に設けられ、静電潜像が形成される像担持体と、トナーとキャリアとを含む現像剤を収容する現像容器と、前記像担持体に形成された静電潜像を現像する位置に向けて前記現像剤を担持搬送する回転可能な現像剤担持体とを有し、前記像担持体に形成された静電潜像を前記現像剤を用いて現像するための現像装置と、前記現像容器内の前記現像剤のトナー濃度を検出するためのトナー濃度検出部と、前記像担持体と前記現像剤担持体との間の静電容量を検出するための静電容量検出部と、前記現像剤担持体に直流電圧と交流電圧とを重畳した現像電圧を印加する現像電圧印加部と、前記現像電圧印加部を制御する制御部と、を備え、前記制御部は、前記静電容量検出部によって検出された静電容量と、前記トナー濃度検出部によって検出されたトナー濃度とに基づいて、前記現像電圧印加部により前記現像剤担持体に印加する前記現像電圧の交流電圧の振幅を決定する、ことを特徴とする。